(57)【要約】【課題】本発明は、あらゆる場合に備え、臨場感を体験することができるとともに、防球対策をすることもできる球技場における防球体の昇降方法及びその装置を提供することを目的とする。【解決手段】球技場における競技フィールドと観客席とを区画するためのフェンスに沿って昇降可能な防球体を設け、該防球ネットを収納時フェンスの上端部より下方に位置し、吊張り設置時フェンスの上端部より所定距離のみ昇降すべく設けられていることである。【選択図】図１
2006297010.tif 000002
【特許請求の範囲】
【請求項１】
球技場における競技フィールドと観客席とを区画するためのフェンスに沿って昇降可能な防球体を設け、該防球体を収納時フェンスの上端部より下方に位置し、吊張り設置時フェンスの上端部より所定距離のみ昇降すべく設けられていることを特徴とする防球体の昇降方法。
【請求項２】
球技場における競技フィールドと観客席とを区画するためのフェンスに沿って設けられた防球体において、前記防球体は、支柱に沿ってウインチワイヤーを介して昇降可能に構成され、且つ防球体収納時にフェンスの上端部より下方に位置すべく構成さていることを特徴とする防球体の昇降装置。
【発明の詳細な説明】
【発明の技術分野】
【０００１】本発明は、野球を主とする各種球技（ラグビー、フットボール等）を行う球技場の競技フィールドと観客席とを区画するためのフェンスに沿って設けられている防球用体の昇降方法及びその昇降装置に関する。
【技術背景】
【０００２】近年、屋外及び屋内に設置されている野球を主とする球技の球技場においては、球技の試合の臨場感を観客ができるだけ体感できるように配慮して競技フィールドと観客席とを区画するフェンスの上部に固定状態で設置された防球ネットを取り払うことが行われている。特に、内野フィールドに近接フェンス（約１ｍ前後）は外野フィールドのフェンス（約７ｍ前後）よりその高さが低く形成されており、球技の選手と同じ目線で球技に参加できるような体感を得ることができるために、多くの球技場で防球ネットの取り外しが行われている。
【０００３】また球技、特に野球においては、フェンスを越えて球が観客席に飛び込むことが多く、この際も、内野フィールドに近接フェンスを越えて飛び込む球が外野フィールドのフェンスを越えて飛び込む球に比し圧倒的に多い。
【０００４】さらに、サービスの一貫として試合前の練習から観客に観客席を開放しているために、球が観客席に飛び込むことが多い。
【０００５】また、野球の試合の場合、小学生及び年少の子供たちが多数観客席におり、特にフェンス近辺にはより選手をみじかで見たいために子供が集まる傾向がある。
【発明が解決しようとする課題】
【０００６】しかしながら、上記従来の防球ネットを排除したフェンスは、観客席に球が直接飛び込んだ際、上記子供たちに直接当たることがあり、危険性があり、子供は常に保護者の元で観戦するしかなく、試合の臨場感を十分に体感することができないという問題点がある。
【０００７】また、身体に障害がある人を招待して観戦する場合、小学生等の子供達を招待して観戦する場合に、係員を配置して直接飛び込む球からの危険を排除する方法が取られているが、必ずしも十分に危険を排除することができるとはかぎらず、また係員を配置に対してコストがかかるという欠点があった。
【０００８】そこで、本発明は、あらゆる場合に備え、臨場感を体験することができるとともに、防球対策をすることもできる球技場における防球体の昇降方法及びその装置を提供することを目的とする。
【課題を解決するための手段】
【０００９】本発明は、上記目的を達成するために、球技場における競技フィールドと観客席とを区画するためのフェンスに沿って昇降可能な防球体を設け、該防球体を収納時フェンスの上端部より下方に位置し、吊張り設置時フェンスの上端部より所定距離のみ昇降すべく設けられていることを特徴とする。
【００１０】球技場における競技フィールドと観客席とを区画するためのフェンスに沿って設けられた防球体において、前記防球体は、支柱に沿ってウインチワイヤーを介して昇降可能に構成され、且つ防球体収納時にフェンスの上端部より下方に位置すべく構成さていることを特徴とする。
【作用及び効果】
【００１１】本発明の作用及び効果について説明する。野球を主とする球技場において、試合が開始されると通常は球技フィールドと観客席とを分けるフェンスに沿って、防球体の上端部を常時はフェンスの上端部より下方に収納し、試合の臨場感を観客が十分に堪能できるようにして使用する。
【００１２】しかしながら、観客に身体に障害のある人、または小さな子供達が多く観戦に来た場合においては、その部分のフェンスのみまたはその周囲のフェンスに沿って所定の高さ、例えば子供の身長に応じて防球体をフェンスより上昇させて設置することで、球が直接子供達に当たるのを防ぎ安全に試合を楽しめるように配慮する。
【００１３】また、試合前の練習を観客に観戦させる場合は、試合中よりもより多くの球がフェンスを越えて観客席に飛び込むために、防球体を高めに（例えば、観客席全体を保護する高さ）上昇させて直接飛び込む球による危険を排除することで、選手は安心して練習することができ、観客も安全にその練習を見ることができる。
【００１４】このように、状況に応じて（使用内容、観客の年齢等）自在に防球体を昇降することおよび防球体の高さを調整することで、安全性を確保するとともに、本来の目的である臨場感をも体験することができる。
【００１５】また、防球体の昇降方法も自在に調整することができるので、各球技場に応じて自在に対応することができる。
【実施の形態】
【００１６】本発明の防球体昇降方法とその装置についてその一実施例を以下図面沿って説明する。
【００１７】図１は、本発明の一実施例で防球体の昇降装置を示す概略説明斜視図であり、図２は、防球体の昇降装置の昇降した状態を示す概略説明側面図であり、図３は、防球体の昇降方法の他実施例を示す概略説明斜視図であり、図４は防球体の昇降方法の他実施例を示し（Ａ）は概略説明平面図、（Ｂ）は概略説明正面図である。
【００１８】先ず本発明の防球体昇降装置１は、屋外及び屋内の野球を主（他にサーカー、ラグビー、アメリカンフットボール等が考えられ、また実際に使用されている。）とする球技場の競技フィールド２と観客席側３とを区画するフェンス４の内側に設けられている。尚、設置場所はフェンス４の内側に限定されるものでなく、フェンス４と一体的に設けることも可能である。
【００１９】防球体昇降装置１の基本構成は、フェンス４に設けられた支柱５（支柱５は固定式でも昇降式でも可能である。）と、該支柱５に沿って上下方向に駆動するウインチワイヤー６と、該ウインチワイヤー６に設けられたエンドレスウインチ７と、支柱間５に設けられた防球体８としての防球ネットとから構成されている。尚、エンドレスウインチ７、駆動する防球体８としての防球ネットの長さに応じて手動式であっても自動式であってもよく、また制御盤（図示せず）を介して、予め昇降する支柱５の高さ、昇降する防球体８を吊張りする範囲を設定しておくことも可能である。
【００２０】本発明の防球体昇降装置１は上記のような構成よりなり、次に防球体昇降装置１の使用について説明する。
【００２１】先ず、防球体昇降装置１を防球体８を収納した状態でフェンス４に設置する。
【００２２】この状態では、防球体８の上端部はフェンス４より下方に位置しているために、観客は防球体８が視界を遮ることなく、試合の臨場感を体感することが可能である。
【００２３】しかしながら、防球体８が必要とする場合、必要とする場所（フェンス４部分）には防球体８を設置する。
【００２４】防球体８を設置方法は、先ず制御盤の指示に沿ってエンドレスウインチ７を作動してウインチワイヤー６を支柱５に沿って回転駆動することで、防球体８を支柱５に沿って所定の高さまで上昇させる。これにより、防球体８でその部分のみ球の飛び込みを防御することかできる。
【００２５】この際、制御盤に昇降する防球体８を吊張りする範囲（例えば内野フィールドに隣接フェンス４部分のみ、または子供がかたまって位置する観客席のフェンス４部分のみ等）、防球体８の高さ等を状況に応じて自在に設定することができる。
【００２６】また、支柱５の高さも、その状況に応じて自在に高さ設置（例えば、支柱５を高くして全体に防球体８を吊張り、支柱５を高くしてその下方部分のみに防球体８を吊張り、支柱５と防球体８の吊張りする高さを統一等）することができる。
【００２７】防球体８を吊張りする必要がなくなれば、再度エンドレスウインチ７が作動してウインチワイヤー６を支柱５に沿って上記と逆方向に回転駆動することで、防球体８を支柱５に沿って下降させる。これにより、防球体８は、フェンス４より下方に位置することができる。
【００２８】このように、本発明は必要に応じて、必要な部分のみ防球体８を設置したり、解除したりすることが自在にできることとなり、従来の球技場での安全性と新たな臨場感とを同時に維持することができる。
【００２９】また、装置全体の構成が簡易であり、費用面においても大きな利点がある。
【００３０】また、上記実施例では、フェンス４に支柱５を設け、該支柱５に沿って防球体８を昇降したが、本発明の防球体８の昇降方法はこれに限定されるものでなく、例えば、屋内式の球技場においては観客席の上端側天井部に収納式のウインチ７Ａを設け、必要に応じて、ウインチ７Ａの後方に設けられた巻取りリール１０よりウインチ７Ａを介してウインチワイヤー６Ａを引き出しその先端側に防球体８の上端部を連結して、防球体８を昇降することも可能である。また、引き出したウインチワイヤー６Ａを天井部とフェンス４の上端部の金具１１とで吊り張りし、該別体のウインチワイヤー６を用いて前記ウインチワイヤー６Ａに沿って防球体８を吊り張りすることも可能である。
【００３１】また、上記実施例では防球体８として防球ネットを使用したが、本発明において防球体８は防球ネットに限定されるものではなく、例えば、強度の高い透明板を防球体８として使用し、フェンス４に所定の間隔で設けられた支柱５間で該支柱５に沿って又は支柱５とともにフェンス４の上端部より昇降すべく構成することも可能であり、また防球体８を防球ネットと透明板との組み合わで構成することもできる。
【図面の簡単な説明】
【００３２】
【図１】は、本発明の実施例で防球体の昇降装置を示す概略説明斜視図。
【図２】は、防球体の昇降装置の昇降した状態を示す概略説明側面図。
【図３】は、防球体の昇降方法の他実施例を示す概略説明斜視図。
【図４】は、防球体の昇降方法の他実施例を示し（Ａ）は概略説明平面図、（Ｂ）は概略説明正面図。
【符号の説明】
【００３３】４：フェンス  ７：ウインチ  ８：防球体
【図１】
2006297010.tif 000003
【図２】
2006297010.tif 000004
【図３】
2006297010.tif 000005
【図４】
2006297010.tif 000006